(57)【要約】【課題】本考案は、市場に流通している携帯型ホルター心電計に関し、生体情報を検出し送信する胸部に装着したセンサユニットからそれらの生体情報を受信し処理するユニットまでをワイヤレス化し、それらを構成する部品及びシステムを携帯できるまで極小化し、リアルタイムにいつでもどこでも生体情報を記憶することを可能とする。【解決手段】本考案は、被検体の胸部４に装着するセンサユニット２の構成部品の小型化とそのユニットの各構成部品及び各部品間の制御システムを最適化すること及びセンサユニット２から送信された生体情報を受信し記憶するユニット、センタ装置１の構成部品の小型化とそのユニットの各構成部品及び各部品間の制御システムの最適化により、いつでもどこでも生体情報をリアルタイムに記憶可能となり、心臓疾患者の日常生活での健康管理やスポーツのなどの現場での運動管理に役立つ。【選択図】図１
0003131729.tif 000002
【実用新案登録請求の範囲】
【請求項１】
携帯型ホルター心電計の構成部品の一つ、胸部に装着するセンサユニットから被検体の生体情報を無線で送信し、いつでもどこでもリアルタイムにそれら生体情報を受信し記憶するユニットを小型化し、且つ、これら記憶情報やその解析結果を附属のディスプレーで表示可能な携帯型小型ホルター心電計
【考案の詳細な説明】
【技術分野】
【０００１】本考案は、モバイル型の小型ワイヤレス携帯型健康管理機能付ホルター心電計に関するものである。
【背景技術】
【０００２】市場に流通しているホルター心電計は、胸部に装着した心電図波形や心拍数などの生体情報を送出するユニットからその生体情報を受信し記憶するユニットまでが有線であるため、ホルター心電計とその使用者との拘束が不可欠で使用中の患者または被験者の行動は制約されている。【０００３】２４時間連続測定のためのホルター心電計は、重量が１００ｇと大きく、体の弱った患者には負担が大きすぎ使用が困難である。
【考案の開示】
【考案が解決しようとしている課題】
【０００４】スポーツなどの現場では心電図や心拍数などがリアルタイムに把握でき、日々の運動管理や疲労度の評価が出来るもっと軽量で小型化されたワイヤレスのホルター心電計の開発が求められている。従って、ワイヤレスにすることにより前述の欠点を解決しようとするものである。
【０００５】軽度の心臓に疾患のある患者の２４時間以上の可能ならば一週間以上の日常生活での健康管理用に、患者が生体情報を送受信できる携帯型のワイヤレスホルター心電計の開発が求められている。従って、小型で且つ消費電力の低減化を図った生体情報を受信し記憶するユニットを開発することにより前述の欠点を解決しようとするものである。
【課題を解決するための手段】
【０００６】本考案は、体の弱った患者の負担を最少にすべく胸部に装着した心電図波形や心拍数などの生体情報を検出し送出するユニットを構成するセンサ駆動制御部、センシング信号送信部、アンテナ部の各部品の小型化を図り、課題を解決している。
【０００７】本考案は、心電図波形や心拍数などの生体情報を検出し送出するユニットの小型化のためにそのユニットを構成するセンサ駆動制御部、センシング信号送信部、アンテナ部のトータルの消費電力を最小にすべく生体情報の検出・送出時と非検出時における各部及び各部位間の制御システムを最適化した。これにより市販されている汎用コイン型の小型バッテリでホルター心電計は駆動でき、小型化の課題を解決している。実施例の生体情報センサユニットは１１．５ｇと従来品の１／５〜１／２まで小型・軽量化できている。
【０００８】本考案は、心電図波形や心拍数などの生体情報を受信するユニットを構成する信号分配部、受信部、心電図データ記憶部の各部品の小型化を図り、小型化の課題を解決している。
【０００９】心電図波形や心拍数などの生体情報を受信するユニットを構成する信号分配部、受信部、心電図データ記憶部のトータルの消費電力を最小にするために、生体情報の受信時と非受信時における各部及び各部位間の制御システムを最適化した。これにより心電図波形や心拍数などの生体情報を受信する構成部位及び構成部位間のシステムを最小化する課題を解決した。
【００１０】心電図データ記憶部を小型化できたことから、ディスプレーを附属させ記憶情報の表示や解析結果の表示が可能となり、健康管理機能に関する課題を解決した。
【考案の効果】
【００１１】上述のように、本考案のワイヤレス携帯型健康管理機能付小型ホルター心電計は、心電図波形や心拍数などの生体情報をいつでもどこででも受信して記憶でき、且つ附属のディスプレーで表示できる。
【００１２】上述のように、心電図波形や心拍数などの生体情報をいつでもどこでもリアルタイムに受信し記憶でき、附属のディスプレーにて生体情報及び、その解析結果をみることができることから、その生体情報を被検者のかかりつけの病院や主治医にいつでもどこかからでも届けることが可能で、心臓疾患者の緊急時の対応に効果がある。
【考案を実施するための最良の形態】
【００１３】弊社の出願実用新案（平成１８年１０月２７日出願）「ワイヤレス携帯型健康管理機能・リアルタイム送受信機能付小型心電計」で実用新案化を請求している生体情報システム、心電図波形や心拍数などの生体情報を検出し送出するユニットの構成部品、センサ駆動制御部、センシング信号送信部、アンテナ部の各部品をベースに組み立てたセンサユニットと生体情報を受信するユニットの構成部品、信号分配部、受信部、心電図データ記憶部をベースに組み立てたユニットとで組み立てたワイヤレス携帯型健康管理機能付小型ホルター心電計を製作できる。
【実施例】
【００１４】  以下、添付図面に従って一実施例を説明する。
図１は、本考案のワイヤレス携帯型健康管理機能付小型ホルダー心電計の概略構成を示す図である。
４は被検体である。４の胸部にセンサユニット２を装着する。センサユニット２で受信された心電図、心拍数などの生体情報は無線ネットワーク３でセンタ装置１に送信される。センタ装置１で受信された心電図、心拍数などの生体情報は心電図データ記憶部で記憶される。
図２は、センサユニット２を被検体４の胸部に装着している図である。
図３はセンサユニット２の構成図である。センサユニット２はセンサ本体とセンサ駆動制御部から構成されている。
図４はセンタ装置１の構成図である。データ記憶部で記憶されたデータは、センタ装置１が記憶機能を有していることから、データの転送時間が不要で、そのまま専用の解析器に挿入し、解析される。尚、附属のディスプレーで記憶情報の表示や解析結果の表示が可能である。
【図面の簡単な説明】
【００１５】
【図１】本考案のワイヤレス携帯型健康管理機能付小型ホルダー心電計の概略構成を示す図である。
【図２】センサユニット２を被検体４の胸部に装着している図である。
【図３】センサユニット２の構成図である。
【図４】センタ装置１の構成図である。
【符号の説明】
【００１６】  １センタ装置
２センサユニット
３無線ネットワーク
４被検体
【図１】
0003131729.tif 000003
【図２】
0003131729.tif 000004
【図３】
0003131729.tif 000005
【図４】
0003131729.tif 000006
【手続補正書】
【提出日】平成19年2月16日(2007.2.16)
【手続補正１】
【補正対象書類名】実用新案登録請求の範囲
【補正対象項目名】請求項１
【補正方法】変更
【補正の内容】
【請求項１】
胸部に装着し、被検体の心臓の動き等の生体情報を検出し、それら生体情報を無線で送信するセンサユニットと送信された生体情報を受信し記憶する受信ユニットで構成されるホルター心電計において、ユニットを構成する部品の小型化とその最適配置及び生体情報の送受信頻度の最適化により携帯可能なまでに小型化し、且つ附属のディスプレーでこれら生体情報やその解析結果を表示可能とした携帯型小型ホルター心電計